(57)【要約】【課題】  躯体として使用されるユニットハウス用のブレースパネルを提供する。【解決手段】  ブレースパネル１は、金属製の矩形フレーム１１と、矩形フレーム１１に設けられた金属製の筋交１２とを有して構成され、骨組２が金属からなる箱型建屋の壁面躯体として骨組２に組み付けて使用されるもので、矩形フレーム１１の上水平フレーム材１１３に上部組付け手段（上部締結孔群ＨＢＨ１，ＨＢＨ２）が設けられ、矩形フレーム１１の下水平フレーム材１１４に下部組付け手段（下部締結孔群ＢＢＨ１，ＢＢＨ２）が設けられる。  また、ブレースパネル１は、上水平フレーム材１１３に設けられた組付け手段が、組付け用の締結孔を含み、下水平フレーム材１１４に設けられた組付け手段が、下部に庇状に突出する取付け用板片１３１および当該取付け用板片１３１に形成された組付け用の締結孔を含むことができる。【選択図】    図２
2020159079.tif 000002
【特許請求の範囲】
【請求項１】
金属製の矩形フレームと、前記矩形フレームに設けられた金属製の筋交とを有して構成され、骨組が金属からなる箱型建屋の壁面躯体として前記骨組に組み付けて使用されるブレースパネルであって、
前記矩形フレームの上水平フレーム材に上部組付け手段が設けられ、前記矩形フレームの下水平フレーム材に下部組付け手段が設けられたブレースパネル。
【請求項２】
請求項１に記載のブレースパネルにおいて、
前記上水平フレーム材に設けられた組付け手段が、組付け用の締結孔を含み、
前記下水平フレーム材に設けられた組付け手段が、下部に庇状に突出する取付け用板片および当該取付け用板片に形成された組付け用の締結孔を含むブレースパネル。
【請求項３】
請求項２に記載のブレースパネルにおいて、
前記上水平フレーム材は前記箱型建屋の屋内側から屋根側水平骨組に締結されるように形成され、前記取付け用板片は前記箱型建屋の屋外側から床側水平骨組に締結されるように構成されているブレースパネル。
【請求項４】
請求項１に記載のブレースパネルにおいて、
前記矩形フレームの上下左右の各辺を構成する４つのフレーム材のうち、
左右２つの垂直フレーム材は表裏面方向の厚みT１が上下２つの水平フレームの表裏面方向の厚みT２よりも厚く、または、
左右２つの垂直フレーム材および上下２つのうち一方の水平フレーム材の表裏面方向の厚みT１が、前記上下２つのうち他方の水平フレームの厚みT２よりも厚いブレースパネル。
【請求項５】
金属製の矩形フレームと、前記矩形フレームに設けられた金属製の筋交とを備えたブレースパネルを壁面の全部または一部として金属製の骨組に組み付けて構成したユニットハウスであって、
前記ブレースパネルは、
前記矩形フレームの上水平フレーム材に設けられた上部組付け手段により屋根側水平骨組に結合され、
前記矩形フレームの下水平フレーム材に設けられた下部組付け手段により床側水平骨組に結合される、
ユニットハウス。
【請求項６】
請求項５に記載のユニットハウスにおいて、
前記ブレースパネルは、
前記上部組付け手段が、組付け用の締結孔を含み、前記上水平フレーム材は、前記屋根側水平骨組にブラケットを介して締結され、
かつ、
前記下水平フレーム材は、前記下部組付け手段が、前記外面材の下部に庇状に突出する、組付け用の締結孔が形成された取付け用板片を含み、前記下水平フレームは前記床側水平骨組に締結されるユニットハウス。
【請求項７】
請求項５に記載のユニットハウスにおいて、
前記壁面を構成するパネルが、前記ブレースパネルと、筋交がない金属製の矩形フレームを備えたパネルを含むユニットハウス。
【請求項８】
請求項５に記載のユニットハウスにおいて、
前記ブレースパネルの４つのフレーム材のうち、少なくとも左右２つの垂直フレーム材の表裏面方向の厚みT１が、前記筋交がない矩形フレームの表裏面方向の厚みT２よりも厚く形成されているユニットハウス。
【請求項９】
請求項５に記載のユニットハウスにおいて、
壁に組み付けられる前記ブレースパネルの枚数および配置が当該ユニットハウスの仕様に応じて定められているユニットハウス。
【請求項１０】
請求項５に記載のユニットハウスにおいて、
前記ブレースパネルは、損傷されることなく前記骨組に対して着脱できるユニットハウス。
【請求項１１】
請求項５に記載のユニットハウスを複数連接した、ユニットハウス連接建屋。
【請求項１２】
金属製の長方形床骨組と、前記長方形床骨組の両妻側にそれぞれ立設された金属製の四角形妻壁骨組と、２つの前記四角形妻壁骨組の間に載設された金属製の長方形屋根骨組とを基本骨組とするユニットハウスにおいて、
前記長方形屋根骨組の妻側骨組材と、前記四角形妻壁骨組の上水平骨組材とは屋内側の少なくとも一箇所においてブラケットを介して締結され、
前記四角形妻壁骨組には、金属製の矩形フレームと、前記矩形フレームに設けられた金属製の筋交とを備えたブレースパネルが取り付けられ、
前記矩形フレームの上水平フレーム材は、当該上水平フレーム材に設けられた上部組付け手段により屋根側水平骨組に結合され、
前記矩形フレームの下水平フレーム材は、当該下水平フレーム材に設けられた下部組付け手段により床側水平骨組に結合される、ユニットハウス。
【請求項１３】
請求項１２に記載のユニットハウスにおいて、
前記長方形屋根骨組の妻側骨組材と、前記四角形妻壁骨組の上水平骨組材との結合に使用するブラケットは、
溶接または締結により前記長方形屋根骨組の妻側骨組材に接合され、
溶接または締結により前記四角形妻壁骨組の上水平骨組材に取り付けられるユニットハウス。
【請求項１４】
請求項１２に記載のユニットハウスにおいて、
前記長方形屋根骨組の妻側骨組材と前記四角形妻壁骨組の上水平骨組材とが一または二以上の箇所において締結され、当該締結部位の少なくとも一部位が、前記ブレースパネルの前記上水平フレーム材と前記四角形妻壁骨組の上水平骨組材との締結部位と共通であり、かつ、
当該共通の締結部位において使用される前記長方形屋根骨組の妻側骨組材と前記四角形妻壁骨組の上水平骨組材との締結に使用する締結材と、前記ブレースパネルの前記上水平フレーム材と前記四角形妻壁骨組の上水平骨組材との締結に使用する締結材とが共用されるユニットハウス。
【発明の詳細な説明】
【技術分野】
【０００１】
本発明は、ユニットハウスに適用される、金属製の矩形フレームと筋交とを備えたブレースパネル、およびこのブレースパネルを壁面躯体として使用したユニットハウスならびに当該ユニットハウスを複数使用したユニットハウス連接建屋に関する。
【背景技術】
【０００２】
従来、図１３に示すように、ユニットハウスの骨組９は、金属製の長方形床骨組９１と、長方形床骨組９１の両方の妻側にそれぞれ立設された金属製の妻壁枠９２，９２と、妻壁枠９２，９２の間に載設された金属製の長方形屋根骨組９３とからなる。
図１３では長方形床骨組９１には複数の横架材S１が設けられ、屋根骨組９３には複数の横架材S２が設けられている。
【０００３】
図１４は、従来のユニットハウス９０を示しており、図１３に示した骨組９に、床パネル９１１、妻壁パネル９２１、屋根パネル９３１、桁壁パネル９４１が形成されている。図１４では、説明の便宜上、妻壁パネル９２１および桁壁パネル９４１の一部枚数のみを示し、またドアや窓は図示していない。
ところで、図１４のユニットハウス９０では、たとえばハウス長さを拡張する場合には、ハウス全体の強度を増強する必要がある。
もともと図１４のユニットハウス９０では、妻壁パネル９２１や桁壁パネル９４１は、躯体としての機能を有していない。
【０００４】
図１５（Ａ）の正面図および図１５（Ｂ）の側断面図に、壁パネルＷＰ（妻壁パネル９２１や桁壁パネル９４１）を図１４の骨組９に取り付けた状態を示す。
壁パネルＷＰは矩形フレームＷＰ１と外面部材ＷＰ２とからなる。
外面部材ＷＰ２の下部には庇状に突出する取付け用板片ＢＣが設けられており、この取付け用板片ＢＣは床骨組９１（図１５では床板を符号ＦＰで示す）に締結される。このような構成の壁パネルＷＰは、躯体としては機能できない。
すなわち、図１４のユニットハウス９０の構成では、ハウス長さを拡張する場合には、ハウス全体の強度を保てないおそれがある。
ところで、ユニットハウス９０では、強度を確保するために、補強部材を適宜箇所に溶接することも行われる。
【先行技術文献】
【特許文献】
【０００５】
【特許文献１】特開平０７−２６８９６３
【発明の概要】
【発明が解決しようとする課題】
【０００６】
ところで、図１４に示したユニットハウス９０を補強部材により補強した場合は、補強部材が骨組９の構成部材に溶接されているので、解体等において手間がかかるし、分解・折り畳みができなくなりユニットハウスの利点が損なわれるという問題もある。
【０００７】
本発明の目的は、ユニットハウスに代表される箱型建屋の躯体として繰り返して使用できる妻壁や桁壁を構成するパネル（ブレースパネル）を提供することである。
本発明の他の目的は、ユニットハウスの利点である分解・折り畳み機能を損なうことなく、躯体として繰り返して使用できるブレースパネルを壁（妻壁または桁壁）の一部に使用したユニットハウスを提供することである。
本発明のさらに他の目的は、躯体として繰り返して使用できるブレースパネルを使用したユニットハウスを複数連接したユニットハウス連接建屋を提供することである。
【課題を解決するための手段】
【０００８】
本発明のブレースパネルおよびユニットハウスは、以下を要旨とする。
なお、発明の構成をわかり易くするために、ブレースパネルの概略を図１（Ａ）に示し、箱型建屋の骨組の構成を図１（Ｂ）に示す。
図１（Ａ）ではブレースパネルを構成する矩形フレームがＤ１で示され、矩形フレームＤ１の上水平フレーム材がＤ１１で、矩形フレームＤ１の下水平フレーム材がＤ１２で表されている。また、筋交がＤ２で表されている。
図１（Ｂ）では箱型建屋（およびユニットハウス）の骨組がＥで示され、床側水平骨組がＥ１で、屋根側水平骨組がＥ２で表されている。
図１（Ａ）は以下の（１）〜（１４）の技術の理解の助けとなり、図１（Ｂ）は以下の（１）〜（１１）の技術の理解の助けになる。
（１）
金属製の矩形フレームと、前記矩形フレームに設けられた金属製の筋交とを有して構成され、骨組が金属からなる箱型建屋の壁面躯体として前記骨組に組み付けて使用されるブレースパネルであって、
前記矩形フレームの上水平フレーム材に上部組付け手段が設けられ、前記矩形フレームの下水平フレーム材に下部組付け手段が設けられたブレースパネル。
（２）
（１）に記載のブレースパネルにおいて、
前記上水平フレーム材に設けられた組付け手段が、組付け用の締結孔を含み、
前記下水平フレーム材に設けられた組付け手段が、下部に庇状に突出する取付け用板片および当該取付け用板片に形成された組付け用の締結孔を含むブレースパネル。
（３）
（２）に記載のブレースパネルにおいて、
前記上水平フレーム材は前記箱型建屋の屋内側から屋根側水平骨組に締結されるように形成され、前記取付け用板片は前記箱型建屋の屋外側から床側水平骨組に締結されるように構成されているブレースパネル。
（４）
（１）に記載のブレースパネルにおいて、
前記矩形フレームの上下左右の各辺を構成する４つのフレーム材のうち、
左右２つの垂直フレーム材は表裏面方向の厚みT１が上下２つの水平フレームの表裏面方向の厚みT２よりも厚く、または、
左右２つの垂直フレーム材および上下２つのうち一方の水平フレーム材の表裏面方向の厚みT１が、前記上下２つのうち他方の水平フレームの厚みT２よりも厚いブレースパネル。
（５）
金属製の矩形フレームと、前記矩形フレームに設けられた金属製の筋交とを備えたブレースパネルを壁面の全部または一部として金属製の骨組に組み付けて構成したユニットハウスであって、
前記ブレースパネルは、
前記矩形フレームの上水平フレーム材に設けられた上部組付け手段により屋根側水平骨組に結合され、
前記矩形フレームの下水平フレーム材に設けられた下部組付け手段により床側水平骨組に結合される、
ユニットハウス。
（６）
（５）に記載のユニットハウスにおいて、
前記ブレースパネルは、
前記上部組付け手段が、組付け用の締結孔を含み、前記上水平フレーム材は、前記屋根側水平骨組にブラケットを介して締結され、
かつ、
前記下水平フレーム材は、前記下部組付け手段が、前記外面材の下部に庇状に突出する、組付け用の締結孔が形成された取付け用板片を含み、前記下水平フレームは前記床側水平骨組に締結されるユニットハウス。
（７）
（５）に記載のユニットハウスにおいて、
前記壁面を構成するパネルが、前記ブレースパネルと、筋交がない金属製の矩形フレームを備えたパネルを含むユニットハウス。
（８）
（５）に記載のユニットハウスにおいて、
前記ブレースパネルの４つのフレーム材のうち、少なくとも左右２つの垂直フレーム材の表裏面方向の厚みT１が、前記筋交がない矩形フレームの表裏面方向の厚みT２よりも厚く形成されているユニットハウス。
２つの垂直フレーム材として管が太い（すなわち、奥行きの厚みが）ものを使用することでブレースパネルの座屈が防止される。
（９）
（５）に記載のユニットハウスにおいて、
壁に組み付けられる前記ブレースパネルの枚数および配置が当該ユニットハウスの仕様に応じて定められているユニットハウス。
（１０）
（５）に記載のユニットハウスにおいて、
前記ブレースパネルは、損傷されることなく前記骨組に対して着脱できるユニットハウス。
（１１）
（５）に記載のユニットハウスを複数連接した、ユニットハウス連接建屋。
（１２）
金属製の長方形床骨組と、前記長方形床骨組の両妻側にそれぞれ立設された金属製の四角形妻壁骨組と、２つの前記四角形妻壁骨組の間に載設された金属製の長方形屋根骨組とを基本骨組とするユニットハウスにおいて、
前記長方形屋根骨組の妻側骨組材と、前記四角形妻壁骨組の上水平骨組材とは屋内側の少なくとも一箇所においてブラケットを介して締結され、
前記四角形妻壁骨組には、金属製の矩形フレームと、前記矩形フレームに設けられた金属製の筋交とを備えたブレースパネルが取り付けられ、
前記矩形フレームの上水平フレーム材は、当該上水平フレーム材に設けられた上部組付け手段により屋根側水平骨組に結合され、
前記矩形フレームの下水平フレーム材は、当該下水平フレーム材に設けられた下部組付け手段により床側水平骨組に結合される、ユニットハウス。
（１３）
（１２）に記載のユニットハウスにおいて、
前記長方形屋根骨組の妻側骨組材と、前記四角形妻壁骨組の上水平骨組材との結合に使用するブラケットは、
溶接または締結により前記長方形屋根骨組の妻側骨組材に接合され、
溶接または締結により前記四角形妻壁骨組の上水平骨組材に取り付けられるユニットハウス。
（１４）
（１２）に記載のユニットハウスにおいて、
前記長方形屋根骨組の妻側骨組材と前記四角形妻壁骨組の上水平骨組材とが一または二以上の箇所において締結され、当該締結部位の少なくとも一部位が、前記ブレースパネルの前記上水平フレーム材と前記四角形妻壁骨組の上水平骨組材との締結部位と共通であり、かつ、
当該共通の締結部位において使用される前記長方形屋根骨組の妻側骨組材と前記四角形妻壁骨組の上水平骨組材との締結に使用する締結材と、前記ブレースパネルの前記上水平フレーム材と前記四角形妻壁骨組の上水平骨組材との締結に使用する締結材とが共用されるユニットハウス。
【０００９】
本発明のブレースパネルは、上水平フレーム材を箱型建屋の屋内側から屋根側水平骨組に締結し、かつ、下水平フレーム材も箱型建屋の屋内側から床側水平骨組に締結することができる。
また、たとえば、本発明のブレースパネルは、既存仕様の骨組に適用するべく、サイズ調整・形状調整等のための追加部材を含むことができる。
さらに、本発明ではブレースパネルの屋内側に、たとえば合成樹脂材からなる内面部材を設けることができる。
【発明の効果】
【００１０】
本発明のブレースパネルでは、ユニットハウス等の建屋の構造強度を、溶接等をすることなく増強することができる。すなわち、本発明によれば、躯体として繰り返して使用可能な妻壁や桁壁を構成するブレースパネルを提供できるし、分解・折り畳み機能を維持したまま壁強度を増強可能なユニットハウスやユニットハウス連接建屋を提供できる。
【図面の簡単な説明】
【００１１】
【図１】図１（Ａ）は本発明のブレースパネルを構成する矩形フレームと、この矩形フレームに設けられた筋交とを示す図である。  図１（Ｂ）は本発明のユニットハウスの骨組、屋根側水平骨組および床側水平骨組を明らかにするための図である。
【図２】図２（Ａ）は本発明のブレースパネルの一実施形態を示す正面図である。  図２（Ｂ）は（Ａ）における矢視Ｇ−Ｇ断面の説明図である。
【図３】図３（Ａ）はブレースパネルの側端縁の挿着溝にジョイナーが挿着された様子を示す図である。  図3（Ｂ）はジョイナーの外観を示す図である。
【図４】図４（Ａ）は長方形屋根骨組を四角形妻壁骨組に組み込む前のユニットハウス骨組を示す図である。  図４（Ｂ）はユニットハウス骨組にブレースパネルを取り付けたユニットハウスを示している。
【図５】図５（Ａ）は、長方形屋根骨組の桁側骨組材および床骨組材にブレースパネルを取り付けた例を示す図である。  図５（Ｂ）は、四角形妻壁骨組の上水平骨組材および床骨組材にブレースパネルを取り付けた例を示す図である。
【図６】図６は本発明のブレースパネルと、筋交がない従来のブレースパネルとにより壁面を構成したユニットハウスの例を示す図である。
【図７】図７は構造強度が強化された本発明のユニットハウスに使用する骨組を示す説明図である。
【図８】図８は図７の実施態様における四角形妻壁骨組に図２に示したブレースパネルおよび図１５に示した従来の壁パネルを取り付けた例を示す図である。
【図９】図９（Ａ）は図８における矢視Ｉ−Ｉ断面を示す図である。  図９（Ｂ）は図８における矢視Ｊ−Ｊ断面を示す図である。
【図１０】図１０は、本発明のユニットハウスの骨組を２つ並列に配置したユニットハウス連接建屋の例を示す図である。
【図１１】図１１は左右の垂直フレームの面方向の厚みを厚く構成し、上下の水平フレームの厚みを薄く構成した実施形態を示す説明図である。
【図１２】図１２（Ａ）はフレームの面方向の厚みＴ１を、従来のパネルの厚みＴ２と同程度にする例を示す正面図である。  図１２（Ｂ）は（Ａ）における矢視Ｇ−Ｇ断面を示す説明図である。
【図１３】図１３は、従来のユニットハウスの骨組を示す説明図である。
【図１４】図１４は、従来のユニットハウスを示す図である。
【図１５】図１５（Ａ）は従来の壁パネルを骨組に取り付けた状態を示す図である。  図１５（Ｂ）は（Ａ）における矢視Ｌ−Ｌ断面の説明図である。
【発明を実施するための最良の形態】
【００１２】
図２は本発明のブレースパネルの一実施形態を示す説明図であり、（Ａ）は裏面（屋内側を向く面）の説明図、（Ｂ）は（Ａ）における矢視Ｇ−Ｇ断面の説明図である。図２（Ｂ）においては、説明の便宜上、後述する筋交１２は図示していない。
図２において、ブレースパネル１は、矩形フレーム１１と、筋交１２と、外面部材１３とからなる。なお、本実施形態では、厚みが厚いフレーム（矩形フレーム１１）をグレーで塗り潰して示す。
矩形フレーム１１は、図２では断面四角形の中空金属管からなる。本実施形態では、左右２つの垂直フレーム材１１１，１１２および上下２つの水平フレーム材１１３，１１４の表裏面方向の厚みT１が、図１５（Ａ），（Ｂ）で示した従来の壁パネルＷＰの矩形フレームＷＰ１の表裏面方向の厚みT２（図１５（Ｂ）参照）よりも厚く形成されている。
【００１３】
図２では矩形フレーム１１の上側に上水平フレーム材１１３に隣接して取付け調整用のフレーム材１４１が設けられ、矩形フレーム１１の下側に下水平フレーム材１１４に隣接して取付け調整用のフレーム材１４２が設けられている。調整用のフレーム材１４１，１４２は、適宜設けられる構成材であり本発明に必須ではない。
【００１４】
図２（Ａ）に示すように、矩形フレーム１１の内側には、金属板材からなる筋交取付片１２１，１２２，１２３，１２４が設けられている。
筋交取付片１２１，１２３間には金属板材からなる筋交板１２５が架設され、筋交取付片１２２，１２４間には同じく金属板材からなる筋交板１２６が架設されている。
【００１５】
なお、図２のブレースパネル１では、垂直フレーム材１１１，１１２の内側には、補強縦材１５１，１５２が設けられている。補強縦材１５１，１５２は、適宜設けられる構成材であり本発明に必須ではない。
【００１６】
外面部材１３は、矩形フレーム１１の表面側（屋外に面する側）に設けられるもので、左右端が垂直フレーム材１１１，１１２よりやや左右に迫り出している。
また、フレーム材１４２の先端には、外面部材１３と同一平面となる庇部を持つ取付片１３１が形成されている。
【００１７】
本実施形態では図示していないがブレースパネル１の屋内側に、たとえば合成樹脂材からなる内面部材を設けることができる。
本実施形態では、図２（Ａ）に示すように矩形フレーム１１の上水平フレーム材１１３に上部締結孔群ＨＢＨ１，ＨＢＨ２が形成され、上記した取付片１３１に下部締結孔群ＢＢＨ１，ＢＢＨ２がそれぞれ形成されている。
上部締結孔群ＨＢＨ１，ＨＢＨ２が本発明の上部組付け手段に相当し、取付片１３１に下部締結孔群ＢＢＨ１，ＢＢＨ２が本発明の下部組付け手段に相当する。ここで、締結孔はボルト孔やビス孔である。締結孔はボルト孔であるときは、締結材としてボルトが用いられビス孔であるときにはビスが用いられる。
【００１８】
図３は図２（Ａ）における矢視Ｈ−Ｈ断面の拡大説明図である。図３（Ａ）に示すようにブレースパネル１の外面部材１３の両側の垂直端縁に、隣接する部材と連接するためのジョイナー挿着溝１６１が形成されている。図３（Ａ）ではジョイナー１６２がジョイナー挿着溝１６１に挿着された様子が示されている。図３（Ｂ）に、ジョイナー１６２の外観を長さ方向に切り取った一部を示す。
図３（Ｂ）にも示すようにジョイナー１６２は断面がラビリンス形状に形成してある。
ジョイナー１６２は、隣接する部材との結合（ブレースパネル１同士との連結、ブレースパネル１と四角形妻壁骨組２２の垂直骨組材との結合）を図るとともに、雨風のユニットハウス内への侵入を防ぐことができる。
【００１９】
図４（Ａ），（Ｂ）は図１のブレースパネル１が適用される箱型建屋（すなわち、ユニットハウス）の骨組を示す図である。図４（Ａ）はユニットハウス骨組２の概略を示し、図４（Ｂ）はブレースパネル１を図４（Ａ）のユニットハウス骨組２に適用した例を示している。
【００２０】
図４（Ａ）において、ユニットハウス骨組２は、長方形床骨組２１と四角形妻壁骨組２２と長方形屋根骨組２３とを基本骨組としている。これらの骨組は金属により構成される。
長方形床骨組２１の２つの桁側骨組材２１１の間に複数の横架部材Ｓ１が設けられる。
四角形妻壁骨組２２は、長方形床骨組２１の両妻側にそれぞれ立設されるもので、正方形に近い矩形をなす。図４（Ａ）では、四角形妻壁骨組２２の上水平骨組材を符号２２１で示し下水平骨組材を符号２２２で示してある。
【００２１】
図４（Ａ）では、立設される前の四角形妻壁骨組２２を破線で示す。
長方形屋根骨組２３の２つの桁側骨組材２３２，２３２（本発明における屋根側水平骨組）の間にも複数の横架部材Ｓ２が設けられており、長方形屋根骨組２３は、２つの四角形妻壁骨組２２，２２の間に載設される。
一般に、ユニットハウスでは、たとえばハウス長を拡張する場合には、ハウス全体の強度を増強する必要がある。
【００２２】
本発明では図４（Ｂ）に示すように、図４（Ａ）の骨組２にブレースパネル１を躯体として組み付けることでユニットハウスＵＨの構造強度が増強される。図４（Ｂ）のユニットハウスＵＨでは、長方形床骨組２１に床板ＦＰが施工され、長方形屋根骨組２３に屋根板ＲＰが取り付けられている。また、長方形床骨組２１と、四角形妻壁骨組２２，２２と、長方形屋根骨組２３とにより形成される側面の適宜位置には複数のブレースパネル１が組付けられている。図４（Ｂ）では、説明の便宜上ブレースパネル１のみを図示し、窓ユニット、ドア、筋交がない従来の壁パネルは図示していない。
【００２３】
図５（Ａ），（Ｂ）は図２に示したブレースパネル１をユニットハウスの骨組２に組付けた状態を詳細に示す図である。
図５（Ａ）では、長方形屋根骨組２３の桁側骨組材２３２（本発明における屋根側水平骨組）に、矩形フレーム１１の上水平フレーム材１１３が、屋内側からブラケット１１８を介して締結されている。ここではブラケット１１８は平板である。また、長方形床骨組２１の桁側骨組材２１１（本発明における床側水平骨組）に、外面部材１３の下部の庇状に突出した取付け用板片１３１が、屋外側から締結材（たとえば、ボルト）により締結されている。
【００２４】
図５（Ｂ）では、四角形妻壁骨組２２の上水平骨組材２２１（本発明における屋根側水平骨組）に、矩形フレーム１１の上水平フレーム材１１３が、屋内側からブラケット１１９を介して取り付けられている。ここではブラケット１１９はクランク状に折り曲げられている。また、四角形妻壁骨組２２の下水平骨組材２２２（本発明における床側水平骨組）に、外面部材１３の下部の庇状に突出した取付け用板片１３１が、屋外側から締結材（たとえば、ボルト）により締結されている。
【００２５】
図６は図４（Ａ）の骨組２に、図２のブレースパネル１と、筋交がない従来の壁パネルＷＰ（図１５（Ａ），（Ｂ）参照）とを組み合わせてユニットハウスＵＨの壁面を構成した例を示している。図６では、壁面に窓ユニットＷ−ＵＮＩＴが併せて示されている。
【００２６】
図７，図８および図９は骨組２の構造強度が強化された本発明のユニットハウスの実施形態を示す説明図である。
図７，図８に示されるように、長方形屋根骨組２３の妻側骨組材２３１と、四角形妻壁骨組２２の上水平骨組材２２１とは、左右および中央の三箇所においてブラケット３１，３２，３３を介して締結材（たとば、ボルト）により締結される。
【００２７】
図８に示すように、本実施形態において、ブラケット３１，３２，３３の概ね上半分の領域は、長方形屋根骨組２３の妻側骨組材２３１に溶接されており、ブラケット３１，３２，３３の概ね下半分の領域に締結孔が設けられている。
図８はユニットハウスＵＨの妻側壁面の屋内側を示す図であり、長方形屋根骨組２３の妻側骨組材２３１と四角形妻壁骨組２２の上水平骨組材２２１とは、ブラケット３１，３２，３３により強固に結合されている。
【００２８】
図９（Ａ）は図８における矢視Ｉ−Ｉ断面を示しており、図８における左側の平板状のブラケット３１により妻側骨組材２３１と上水平骨組材２２１とが結合される。
図９（Ａ）では、壁パネルＷＰは矩形フレームＷＰ１と外面部材ＷＰ２とからなり、外面部材ＷＰ２の下部には庇状に突出する取付け用板片ＢＣが設けられ、この取付け用板片ＢＣは、四角形妻壁骨組２２の下水平骨組材２２２に締結される。
なお、図８における右側のブラケット３３もブラケット３１と構成・作用は同じである。
【００２９】
図９（Ｂ）は図７における矢視Ｊ−Ｊ断面を示しており、ブラケット３１と同様の平板状のブラケット３２１により妻側骨組材２３１と上水平骨組材２２１とが結合される。図９（Ｂ）では、ブラケット３２は、ブラケット３２１とブラケット１１９とにより構成される。
図５（Ｂ）で説明したように、四角形妻壁骨組２２の上水平骨組材２２１（本発明における屋根側水平骨組）には、矩形フレーム１１の上水平フレーム材１１３が、屋内側からクランク状のブラケット１１９を介して取り付けられている。本実施形態では、妻側骨組材２３１と上水平骨組材２２１とのブラケット３２１による締結部位と、上水平骨組材２２１と上水平フレーム材１１３とのブラケット１１９による締結部位とは共通である。この共通の締結部位において使用される妻側骨組材２３１と上水平骨組材２２１との締結に使用する締結材（ボルト）と、上水平フレーム材１１３と上水平骨組２２１との締結に使用する締結材（ボルト）とが共用されている。
【００３０】
図９（Ｂ）では長方形屋根骨組２３の妻側骨組材２３１と上水平骨組材２２１とのブラケット３２１と、ブレースパネル１の上水平フレーム材１１３と屋根側水平骨組２２１との締結に使用するブラケット１１９とは別体であるが、これらブラケットを一体のものとして構成することができる。
【００３１】
上述したように、図８の妻壁の構造を持つユニットハウスでは、特に中央のブラケット３２（ブラケット３２１およびブラケット１１９）により、妻側骨組材２３１と上水平骨組材２２１と上水平フレーム材１１３の三者が一体にボルトにより締結されている。また、左右のブラケット３１，３３により妻側骨組材２３１と上水平骨組材２２１との一体化が強化され、さらに、上水平フレーム材１１３の右側はブラケット１１９により上水平骨組材２２１にボルト締結されている。
これにより、ユニットハウスの構造強度がさらに高められる。
【００３２】
図１０は、上述したユニットハウスを複数連接配置したユニットハウス連接建屋の例を示している。
図１０では、ユニットハウス連接建屋ＵＨは２つの図６に示したユニットハウスＵＨ１，ＵＨ２が２つ並列に連接されている。なお、ユニットハウスＵＨ１，ＵＨ２間に相当する壁は設けなくてもよいし、室内の間仕切りに相当する隔壁（図示しない）を設けることができる。
ユニットハウスＵＨ１，ＵＨ２間の隔壁については、本発明のブレースパネルを使用し、前述したと同様に取り付けることもできる。また、ユニットハウスＵＨ１，ＵＨ２間の隔壁に、既存の壁パネル（たとえば、躯体として機能しない壁パネル）を使用することもできる。
図１０のユニットハウス連接建屋５でも適宜箇所に上述したブレースパネル１が取り付けられ構造強度が増強される。
上記の実施形態では、ブレースパネル１の矩形フレーム１１の上下左右の面方向の厚みＴ１が全て同じであり、かつ従来のパネルＷＰの面方向の厚みＴ２よりも厚い場合を説明したが、本発明はこれに限定されない。
【００３３】
図１１（Ａ）の正面図および図１１（Ｂ）の側面図に示すように、左右の垂直フレーム１１１，１１２の面方向の厚みは厚く、上下の水平フレーム１１３，１１４の厚みを薄くするように構成することもできる。なお、厚みが厚いフレーム（垂直フレーム１１１，１１２および水平フレーム１１３，１１４）をグレーで塗り潰して示す。
【００３４】
また、上記の実施形態では、ブレースパネル１の矩形フレーム１１の面方向の厚みＴ１が、筋交がない従来のパネルＷＰの面方向の厚みＴ２よりも厚い場合を説明したが本発明はこれに限定されない。たとえば、図１２（Ａ）の正面図および図１２（Ｂ）に示すように、フレーム１１の面方向の厚みＴ１を、従来のパネルＷＰの厚みＴ２（図１５（Ｂ）参照）と同程度にすることもできる。
【符号の説明】
【００３５】
１  ブレースパネル
２  ユニットハウス骨組
５  ユニットハウス連接建屋
１１  矩形フレーム
１２  筋交
１３  外面部材
２１  長方形床骨組
２２  四角形妻壁骨組
２３  長方形屋根骨組
３１，３２，３３，３２１  ブラケット
１１１，１１２  垂直フレーム材
１１３  上水平フレーム材
１１４  下水平フレーム材
１１８，１１９  ブラケット
１２１，１２２，１２３，１２４  筋交取付片
１２５，１２６  筋交板
１３１  取付け用板片
１４１，１４２  調整用のフレーム材
１５１，１５２  補強縦材
１６１  ジョイナー挿着溝
１６２  ジョイナー
２１１  長方形床骨組の桁側骨組材
２２１  四角形妻壁骨組の上水平骨組材
２２２  四角形妻壁骨組の下水平骨組材
２３１  長方形屋根骨組の妻側骨組材
２３２  長方形屋根骨組の桁側骨組材
ＢＢＨ１，ＢＢＨ２  下部締結孔
ＢＣ  取付け用板片
Ｄ１  矩形フレーム
Ｄ１１  矩形フレームＤ１の上水平フレーム材
Ｄ１２  矩形フレームＤ１の下水平フレーム材
Ｄ２  筋交
Ｅ  箱型建屋の骨組
Ｅ１  床側水平骨組
Ｅ２  屋根側水平骨組
ＦＰ  床パネル
ＨＢＨ１，ＨＢＨ２  上部締結孔群
ＲＰ  屋根パネル
Ｓ１，Ｓ２  横架材
ＵＨ，ＵＨ１，ＵＨ２  ユニットハウス
ＷＰ  壁パネル
ＷＰ１  矩形フレーム
ＷＰ２  外面部材
Ｗ−ＵＮＩＴ  窓ユニット
【図１】
2020159079.tif 000003
【図２】
2020159079.tif 000004
【図３】
2020159079.tif 000005
【図４】
2020159079.tif 000006
【図５】
2020159079.tif 000007
【図６】
2020159079.tif 000008
【図７】
2020159079.tif 000009
【図８】
2020159079.tif 000010
【図９】
2020159079.tif 000011
【図１０】
2020159079.tif 000012
【図１１】
2020159079.tif 000013
【図１２】
2020159079.tif 000014
【図１３】
2020159079.tif 000015
【図１４】
2020159079.tif 000016
【図１５】
2020159079.tif 000017